(57)【要約】【課題】元画像と出力画像との比較により異常画像を迅速かつ適度に検知し、ユーザに不快感や不安を与えないように、サービスする側が速やかに対処して適切にメンテナンスができる画像形成装置を提供する。【解決手段】複合機１００の文書排紙部付近にスキャナ５１を設置し、出力画像を読み取り、入力画像と出力画像とをｎ分割し、分割されたブロックごとにパターンマッチングをして比較する。パターンマッチングで、エラーが発生した場合に、サービスコールを操作部１０に表示する。過剰にエラーが発生しないようにパターンマッチングに許容度を設ける。入力画像と出力画像とを比較して自動的に画像の色ずれ補正や色補正を行う。エラーが発生した場合、ネットワークを経由してユーザ・機器管理者・サービスセンターにエラーの内容や画像等を送信して通知する。サービスセンターは、通知をするか否かや通知の内容をネットワーク経由で設定できる。【選択図】        図１
2004345091.tif 000002
【特許請求の範囲】
【請求項１】
元画像のデータを入力する画像入力手段と、
該画像入力手段により入力された前記元画像のデータから出力画像を媒体上に形成する画像形成手段と、
該画像形成手段により出力画像が形成された前記媒体を排出する媒体排出手段と、
前記媒体上に形成された前記出力画像を読み取る画像読取手段と、
を有することを特徴とする画像形成装置。
【請求項２】
前記媒体排出手段と、前記画像読取手段とが、
相互に近接して設けられることを特徴とする請求項１記載の画像形成装置。
【請求項３】
前記画像読取手段は、
前記媒体排出手段により前記媒体が排出される直前または直後に前記出力画像を読み取ることを特徴とする請求項１または２記載の画像形成装置。
【請求項４】
前記画像形成手段により前記媒体上に形成された前記出力画像と前記画像入力手段により入力された前記元画像とを比較する手段、
をさらに有することを特徴とする請求項１から３のいずれか１項に記載の画像形成装置。
【請求項５】
前記比較は、
前記画像入力手段により入力された元画像と前記画像形成手段により形成された出力画像とをｎ分割し、該分割されたブロックごとにパターンマッチングを行なうことによりなされることを特徴とする請求項１から４のいずれか１項に記載の画像形成装置。
【請求項６】
前記パターンマッチングにおいて、エラーが発生した場合に、
該エラーに関する情報を表示する表示手段、
をさらに有することを特徴とする請求項１から５のいずれか１項に記載の画像形成装置。
【請求項７】
前記エラーに関する情報は、
少なくともサービスコールを含むことを特徴とする請求項６記載の画像形成装置。
【請求項８】
前記パターンマッチングは、
過剰にパターンマッチングエラーが発生しないようにするための許容度を設けて行われることを特徴とする請求項５から７のいずれか１項に記載の画像形成装置。
【請求項９】
コピー時とプリンタ時とで異なる前記許容度を設定する手段、
をさらに有することを特徴とする請求項６記載の画像形成装置。
【請求項１０】
前記画像形成手段により前記媒体上に形成された前記出力画像と前記画像入力手段により入力された前記元画像とを比較して自動的に画像の色ずれ補正を行う機能、
をさらに有することを特徴とする請求項５から９のいずれか１項に記載の画像形成装置。
【請求項１１】
前記画像形成手段により前記媒体上に形成された前記出力画像と前記画像入力手段により入力された前記元画像とを比較して自動的に画像の色補正を行なう機能をさらに有することを特徴とする請求項５から１０のいずれか１項に記載の画像形成装置。
【請求項１２】
前記パターンマッチングにおいて、エラーが発生した場合、ネットワークを経由して関係者に前記エラーを通知する手段、
をさらに有することを特徴とする請求項５から１１のいずれか１項に記載の画像形成装置。
【請求項１３】
前記パターンマッチングにおいて、エラーが発生した場合、ＬＡＮを経由してユーザ及び／または機器管理者に前記エラーの内容及び／または前記エラーが生じた前記元画像及び／または前記出力画像を送信して前記エラーを通知する手段、
をさらに有することを特徴とする請求項５から１２のいずれか１項に記載の画像形成装置。
【請求項１４】
前記パターンマッチングにおいて、エラーが発生した場合、
機器管理を行なっているサービスセンターにインターネットを通して前記エラーの内容及び／または異常画像データを送信して前記エラー通知をする手段、
をさらに有することを特徴とする請求１から１３のいずれか１項に記載の画像形成装置。
【請求項１５】
前記サービスセンターが、前記ユーザ、前記機器管理者、及び／または前記サービスセンターに前記エラー通知を行うか否か、及び／または前記エラー通知を行うとしてどのような内容の通知を行なうか、を前記インターネット経由で設定するための手段、
をさらに有することを特徴とする請求項１４記載の画像形成装置。
【請求項１６】
前記比較により異常画像を検知した場合、前記出力画像が形成された前記媒体を機器内に保持する手段、
をさらに有することを特徴とする請求項２から１５のいずれか１項に記載の画像形成装置。
【発明の詳細な説明】
【０００１】
【発明の属する技術分野】
本発明は、画像形成装置に関し、特に、プリンタ・コピー機器等の画像形成装置における出力画像の異常を検知するための画像形成装置に関する。
【０００２】
【従来の技術】
プリンタ・コピー機器等の画像形成装置は、ユーザが意図する文書を間違い無く要求通りに出力することが本来絶対条件であるはずである。しかしながら、複雑な制御が要求され、また制御部分も多数あるプリンタ・コピー機器において、ユーザの要求を満足し一切の誤動作を排除することは、プリンタ・コピー機器メーカにとって非常に難しいのが現状である。
【０００３】
他方で、異常画像の過敏な検知を行ってしまうと、人間の目では判断できないぐらいの画像ズレ等でもエラーと判断してしまう恐れがある。特に、コピー画像では、元画像に比べ差異は大きくなる傾向である。
【０００４】
また、画像ズレ等のエラーを検知できた場合の自己メンテナンス機能があればサービスの手間を省くことができ、効率的なメンテナンスが可能となる。
【０００５】
さらに、異常画像検知が行なわれた際、全てのエラーについてユーザに直ちに知らせると、有効な手段とは限らない。すなわち、ユーザに不快感や不安を与えないように機器をサービスする側が速やかに対処できるような手段を設けたほうが、プリンタ・コピー機器メーカやユーザにとって非常に有効である。
【０００６】
【特許文献１】
特開平８−２２８２５０号公報
【特許文献２】
特開平９−３２１９４９号公報
【０００７】
【発明が解決しようとする課題】
そこで、本発明は、第１に、元画像と出力画像を比較して誤動作によって引き起こされる異常画像をいち早く検知しサービスマンに知らせると共に早期の解決をすることができる画像形成装置を提供することを目的とする。
【０００８】
また、本発明は、第２に、許容度を設けることにより、人間の目では判断できないぐらいの画像ズレ等でもエラーと判断してしまうことを回避でき、また、プリンタ・コピー機能を持つ複合機ではプリンタ用、コピー用で許容度が個別に設定できる画像形成装置を提供することを目的とする。
【０００９】
また、本発明は、第３に、上記システムに自己メンテナンス機能を設けることにより、サービスの手間を省くことができる画像形成装置を提供することを目的とする。
【００１０】
さらに、本発明は、ユーザに不快感や不安を与えないように機器をサービスする側が速やかに対処できる画像形成装置を提供することを目的とする。
【００１１】
【課題を解決するための手段】
上記の目的を達成するために、請求項１記載の発明によれば、画像形成装置は、元画像のデータを入力する画像入力手段と、画像入力手段により入力された元画像のデータから出力画像を媒体上に形成する画像形成手段と、画像形成手段により出力画像が形成された媒体を排出する媒体排出手段と、媒体上に形成された出力画像を読み取る画像読取手段と、を有することを特徴とするものである。
【００１２】
請求項２記載の発明によれば、画像形成装置は、媒体排出手段と、画像読取手段とが、相互に近接して設けられる請求項１記載の画像形成装置であることを特徴とするものである。
【００１３】
請求項３記載の発明によれば、画像形成装置は、画像読取手段は、媒体排出手段により媒体が排出される直前または直後に出力画像を読み取る請求項１または２記載の画像形成装置であることを特徴とするものである。
【００１４】
請求項４記載の発明によれば、画像形成装置は、画像形成手段により媒体上に形成された出力画像と画像入力手段により入力された元画像とを比較する手段、をさらに有する請求項１から３のいずれか１項に記載の画像形成装置であることを特徴とするものである。
【００１５】
請求項５記載の発明によれば、画像形成装置は、比較は、画像入力手段により入力された元画像と画像形成手段により形成された出力画像とをｎ分割し、分割されたブロックごとにパターンマッチングを行なうことによりなされる請求項１から４のいずれか１項に記載の画像形成装置であることを特徴とするものである。
【００１６】
請求項６記載の発明によれば、画像形成装置は、パターンマッチングにおいて、エラーが発生した場合に、エラーに関する情報を表示する表示手段をさらに有する請求項１から５のいずれか１項に記載の画像形成装置であることを特徴とするものである。
【００１７】
請求項７記載の発明によれば、画像形成装置は、エラーに関する情報は、少なくともサービスコールを含む請求項６記載の画像形成装置であることを特徴とするものである。
【００１８】
請求項８記載の発明によれば、画像形成装置は、パターンマッチングは、過剰にパターンマッチングエラーが発生しないようにするための許容度を設けて行われる請求項５から７のいずれか１項に記載の画像形成装置であることを特徴とするものである。
【００１９】
請求項９記載の発明によれば、画像形成装置は、コピー時とプリンタ時とで異なる許容度を設定する手段、をさらに有する請求項６記載の画像形成装置であることを特徴とするものである。
【００２０】
請求項１０記載の発明によれば、画像形成装置は、画像形成手段により媒体上に形成された出力画像と画像入力手段により入力された元画像とを比較して自動的に画像の色ずれ補正を行う機能、をさらに有する請求項５から９のいずれか１項に記載の画像形成装置であることを特徴とするものである。
【００２１】
請求項１１記載の発明によれば、画像形成装置は、画像形成手段により媒体上に形成された出力画像と画像入力手段により入力された元画像とを比較して自動的に画像の色補正を行なう機能、をさらに有する請求項５から１０のいずれか１項に記載の画像形成装置であることを特徴とするものである。
【００２２】
請求項１２記載の発明によれば、画像形成装置は、パターンマッチングにおいて、エラーが発生した場合、ネットワークを経由して関係者にエラーを通知する手段、をさらに有する請求項５から１１のいずれか１項に記載の画像形成装置であることを特徴とするものである。
【００２３】
請求項１３記載の発明によれば、画像形成装置は、パターンマッチングにおいて、エラーが発生した場合、ＬＡＮを経由してユーザ及び／または機器管理者にエラーの内容及び／またはエラーが生じた元画像及び／または出力画像を送信してエラーを通知する手段、をさらに有する請求項５から１２のいずれか１項に記載の画像形成装置であることを特徴とするものである。
【００２４】
請求項１４記載の発明によれば、画像形成装置は、パターンマッチングにおいて、エラーが発生した場合、機器管理を行なっているサービスセンターにインターネットを通してエラーの内容及び／または異常画像データを送信してエラー通知をする手段、をさらに有する請求１から１３のいずれか１項に記載の画像形成装置であることを特徴とするものである。
【００２５】
請求項１５記載の発明によれば、画像形成装置は、サービスセンターが、ユーザ、機器管理者、及び／またはサービスセンターにエラー通知を行うか否か、及び／またはエラー通知を行うとしてどのような内容の通知を行なうか、をインターネット経由で設定するための手段、をさらに有する請求項１４記載の画像形成装置であることを特徴とするものである。
【００２６】
請求項１６記載の発明によれば、画像形成装置は、比較により異常画像を検知した場合、出力画像が形成された媒体を機器内に保持する手段、をさらに有する請求項２から１５のいずれか１項に記載の画像形成装置であることを特徴とするものである。
【００２７】
【発明の実施の形態】
次に、添付図面を参照して、本発明による画像形成装置の実施の形態を詳細に説明する。
【００２８】
図１には、本発明による画像形成装置の一実施形態たる複合機の構成図が示されている（排紙部スキャナ搭載システム）。
【００２９】
図１において、コピー・プリンタ機能を搭載した複合機１００は、操作部１０と、コピー文書読み取りスキャナ部２０と、エンジンコントローラ３０と、システムコントローラ４０と、排紙文書読み取りスキャナ部５０と、を有して構成される。
【００３０】
操作部１０は、表示部１１と、テンキー１２その他のハードキーを有する。表示部１１は、従来どおり複合機１００を操作するために必要な様々な情報を表示する。そして、本実施形態においては、後述のように、サービスコール等のエラー情報を表示する点が特徴的である。操作パネル１０上にタッチパネルを設けることもできる。ユーザは、テンキー１２その他のハードキーや操作パネル１０上のタッチパネルを用いて複合機１００を操作する。
【００３１】
コピー文書読み取りスキャナ部２０は、スキャナ２１と、スキャナ制御部２２とを有し、複合機１００がコピー機として用いられる場合に、原稿画像のアナログ情報をセンサーで読み取り、デジタル情報に変換し、これをエンジンコントローラ３０やシステムコントローラ４０に送る。
【００３２】
なお、複合機１００がプリンタとして用いられる場合には、コピー文書読み取りスキャナ部２０は用いられず、図示しないＰＣ等のコンピュータから原稿画像のデジタル情報がエンジンコントローラ３０やシステムコントローラ４０に直接送られる。
【００３３】
エンジンコントローラ３０と、システムコントローラ４０とは、コピー文書読み取りスキャナ部２０やＰＣ等から送られた原稿画像に基づいて、画像を形成して出力する動作を制御する。エンジンコントローラ３０は、スキャナ２１、５１の動作、図示しない感光体ドラムの回転、紙搬送等のような機械的な動きを主として制御する。システムコントローラ４０は、操作部１０との間で信号のやりとりをして、集約、変倍、ハードディスクへのデータの保存等のような複合機１００が有する様々な付加機能を主として制御する。
【００３４】
このようなエンジンコントローラ３０とシステムコントローラ４０との制御により、複合機１００は、画像入力手段により入力された画像のデータから用紙等の媒体上に画像を形成し、画像が形成された用紙等の媒体を媒体排出手段（排紙部等）により外部に排出する。
【００３５】
排紙文書読み取りスキャナ部５０は、スキャナ５１と、スキャナ制御部５２とを有し、用紙等の媒体上に形成された画像（出力画像）を読み取り、デジタル情報に変換する。
【００３６】
スキャナ５１は、図示しない文書排紙部（媒体排出手段）付近に設置される。すなわち、文書排紙部と、スキャナ５１とは、相互に近接して設けられ、スキャナ５１は、文書排紙部により用紙が排出される直前または直後に画像形成手段により形成された画像を読み取る点が本実施形態の特徴といえる。ただし、本発明は、この実施形態に限定されるものではなく、本発明におけるスキャナ５１（画像読取手段）は、用紙（媒体）上に形成された画像を読み取れば足りる。
【００３７】
本実施形態においては、出力される文書が排紙文書読み取りスキャナ部５０を通過する際、文書上に形成された画像をスキャナ５１で読み取り、スキャナ制御部５２において画像を監視することができる。また、この機能は必要に応じ動作させないように設定することも可能である。
【００３８】
図２には、本発明による画像形成装置の一実施形態たる複合機の他の構成図が示されている（出力文書監視システム）。
【００３９】
図２に示されているように、スキャナ制御部５２にあるメモリに保存された出力画像は、元画像と比較が可能となる。すなわち、排紙文書読み取りスキャナ部５０は、スキャナ５１により用紙等の媒体上に形成された画像（出力画像）を読み取り、これをデジタル情報に変換し、その画像情報をスキャナ制御部５２のメモリに記憶させてこれを保存する。そして、このように画像情報を保存することにより、後述のようにコピー文書読み取りスキャナ部２０や図示しないＰＣ等から入力されてエンジンコントローラ３０またはシステムコントローラ４０のメモリに記憶された入力画像（元画像）と、を比較することが可能となる。
【００４０】
図３には、本発明による画像形成装置の一実施形態たる複合機の他の構成図が示されている（出力画像比較）。
【００４１】
図３に示されているように、出力画像と入力画像（元画像）をそれぞれブロック分割して比較を行なう。すなわち、上述のように、スキャナ５１により用紙等の媒体上に形成された画像を読み取り、これをスキャナ制御部５２のメモリに保存した画像（出力画像）と、コピー文書読み取りスキャナ部２０や図示しないＰＣ等から入力されてエンジンコントローラ３０またはシステムコントローラ４０に保存された入力画像（元画像）と、を比較する。そして、その比較は、入力画像（元画像）とスキャナ制御部５２に保存された出力画像と、をそれぞれｎ分割し、分割されたブロックごとにパターンマッチングを行なうことにより行われる
【００４２】
画像比較（パターンマッチング）の結果、一致しないとみなされた場合は、システムコントローラ４０へその旨が通知され、操作部１０の表示部１１にサービスマンコール（サービスコール）を表示させる（図４参照）。
なお、本発明において、パターンマッチングにおいて、エラーが発生した場合に、操作部１０の表示部１１（表示手段）に表示する情報は、サービスコール（サービスマンコール）に限定されるものではなく、エラー情報であれば足りる。
【００４３】
図５には、本発明による画像形成装置の一実施形態における比較許容度の設定をするための操作部が示されている。図５に示されているように、ユーザは、操作部１０により、画像比較許容度を設定できる。
【００４４】
図６には、本発明による画像形成装置の一実施形態たる複合機の他の構成図が示されている（操作部による比較許容度の設定）。図６に示されているように、操作部１０から排紙文書読み取りスキャナ部５０に比較許容度の設定が指示されて、スキャナ制御部５２に比較許容度が設定される。
【００４５】
図７には、本発明による画像形成装置の一実施形態における色ずれ補正の説明図が示されている。図７に示されているように、色ずれ補正をする前の出力画像を文書排紙部付近に設置されたスキャナ５１にて読み込み、ＹＭＣＫ各色についてのずれ値を計測する。そして、その値を元に色ずれを補正する。
【００４６】
図８には、本発明による画像形成装置の一実施形態における色補正の説明図が示されている。図８に示されているように、元画像と出力画像において発生した色の違いを文書排紙部付近に設置されたスキャナ５１にて読み込み、色補正を行う。
【００４７】
図９には、本発明による画像形成装置の一実施形態のシステム構成図が示されている。図９に示されているように、エラー情報がサービスセンターに通知される。すなわち、上述のパターンマッチングにおいて、エラーが発生した場合、Ｅｔｈｅｒｎｅｔ（Ｒ）等のＬＡＮを経由してユーザや機器管理者にエラーの内容やエラーが生じた画像を送信することにより、エラーを通知する。
【００４８】
図１０には、本発明による画像形成装置の一実施形態の他のシステム構成図が示されている。図１０に示されているように、エラー通知設定の変更をサービスセンターから行なう。すなわち、上述のパターンマッチングにおいて、エラーが発生した場合、機器管理を行なっているサービスセンターにインターネットを通してエラーの内容や異常画像データ等を送信することにより、エラー通知をする。
【００４９】
このように、上述のパターンマッチングにおいて、エラーが発生した場合、ネットワークを経由して関係者にエラーを通知する。
【００５０】
さらに、サービスセンターは、ユーザ、機器管理者、サービスセンターにどのような通知を行なうか、行なわないかをインターネット経由で設定するための手段を有する。
【００５１】
最後に、本発明による画像形成装置の一実施形態における出力文書の保管について説明する。
【００５２】
排紙文書読み取りスキャナ部５０に出力文書が搬送されと、出力画像が読み込まれ、出力トレイ（排紙トレイ）に排紙されるのが通常である。
【００５３】
これに対して、ここでは、複合機１００内の、排紙文書読み取りスキャナ部５０に出力文書が搬送され、出力画像が読み込まれる後であって、出力トレイ（排紙トレイ）に至る前の部分に、文書を保持する内部トレイを設置する。そして、上述の比較により、異常画像の出力が検知された場合には、出力文書を排紙トレイ（出力トレイ）に搬送せずに、この機器内部に設置された内部トレイに保持する。
【００５４】
このような構成により、異常画像を出力することなく複合機１００が自動的に再印刷を行うことができたり、異常画像を機器管理者が管理することが可能となる。
【００５５】
【発明の効果】
請求項１から１６記載の発明によれば、プリンタ・コピー機器等の画像形成装置において、出力画像をスキャンしどのような画像が出力するかを機器が監視することができる。
【００５６】
請求項４から１６記載の発明によれば、プリンタ・コピー機器等の画像形成装置において、元画像（入力画像）と出力画像を比較することにより、異常画像等を検知することが可能となる。
【００５７】
請求項５から１６記載の発明によれば、プリンタ・コピー機器等の画像形成装置において、元画像（入力画像）と出力画像との画像比較をブロック単位で比較することにより、比較する際のメモリ量を節約することが可能となる。
【００５８】
請求項５から１６記載の発明によれば、プリンタ・コピー機器等の画像形成装置において、元画像（入力画像）と出力画像との比較により検知した異常画像をプリンタ・コピー機器等の画像形成装置の操作部に表示することにより、エラー情報を素早くメンテナンスサービスへ伝えることが可能となる。
【００５９】
請求項８から１６記載の発明によれば、上記のパターンマッチングにおいて、許容度を設けて過剰にパターンマッチングエラーが発生しないようにすることにより、この装置の利用者が問題としない微小な比較エラーを検知しないようにできる。特に、コピー時には、多少なりとも元画像と違いが生じるので、きわめて有効である。
【００６０】
請求項９から１６記載の発明によれば、上記の許容度について、コピー時とプリンタ時とで許容度を個別に設定できることにより、プリンタ画像と、これより元画像との差が大きいコピー画像との混在比較が可能となる。
【００６１】
請求項１０から１６記載の発明によれば、プリンタ・コピー機器等の画像形成装置が、入力画像（元画像）と出力画像を比較して画像の色ずれ補正を自動的に行なえることにより、メンテナンスの手間を省ける。
【００６２】
請求項１１から１６記載の発明によれば、プリンタ・コピー機器等の画像形成装置が、元画像と出力画像を比較して画像の色補正を自動的に行なえることにより、メンテナンスの手間を省ける。
【００６３】
請求項１２から１６記載の発明によれば、ネットワークを使用したリモートエラー通知を行なえるので、障害対処等を迅速に行なえる。
【００６４】
請求項１４から１６記載の発明によれば、エラー発生時、ネットワークを介して、機器管理を行なっているサービスセンターにダイレクトにエラー情報が通知されることにより、サービスセンターは、機器に発生した不具合に迅速に対処できると同時に、発生件数の把握やエラー発生状況をユーザに問い合わせずに知ることができる。
【００６５】
請求項１５、１６記載の発明によれば、上記の画像比較において、サービスセンターよりエラー通知先の設定を変更することにより、設定値等によっては異常画像と判断されないものについてもエラー通知されるような事態を避けることができる。
【００６６】
請求項１６記載の発明によれば、発生した異常画像を保管することができ、発生頻度が少ない異常に対してもサンプルが入手でき、有効なメンテナンスが可能となる。また、異常画像を機器内に保管しておき、改めて文書を出力すればユーザにとっても便利であり、メリットがある。
【図面の簡単な説明】
【図１】本発明による画像形成装置の一実施形態たる複合機の構成図である。
【図２】本発明による画像形成装置の一実施形態における出力文書の監視を説明するための複合機の構成図である。
【図３】本発明による画像形成装置の一実施形態における出力画像の比較を説明するための複合機の構成図である。
【図４】本発明による画像形成装置の一実施形態におけるサービスマンコールの表示を説明するための複合機の構成図である。
【図５】本発明による画像形成装置の一実施形態における比較許容度の設定を説明するための操作部のイメージ図である。
【図６】本発明による画像形成装置の一実施形態における比較許容度の設定を説明するための複合機の構成図である。
【図７】本発明による画像形成装置の一実施形態における色ずれ補正の説明図である。
【図８】本発明による画像形成装置の一実施形態における色補正の説明図である。
【図９】本発明による画像形成装置の一実施形態におけるエラー情報通知を説明するためのシステム構成図である。
【図１０】本発明による画像形成装置の一実施形態におけるエラー通知設定の変更を説明するためのシステム構成図である。
【符号の説明】
１０  操作部
１１  表示部
１２  テンキー
２０  コピー文書読み取りスキャナ部
２１、５１  スキャナ
２２、５２  スキャナ制御部
３０  エンジンコントローラ
４０  システムコントローラ
５０  排紙文書読み取りスキャナ部（出力文書読み取りスキャナ部）
１００、１０１、１０２、１０３  複合機
２００  サーバ
３００  サービスセンター端末
【図１】
2004345091.tif 000003
【図２】
2004345091.tif 000004
【図３】
2004345091.tif 000005
【図４】
2004345091.tif 000006
【図５】
2004345091.tif 000007
【図６】
2004345091.tif 000008
【図７】
2004345091.tif 000009
【図８】
2004345091.tif 000010
【図９】
2004345091.tif 000011
【図１０】
2004345091.tif 000012